(57)【要約】  ワイヤレス基地トランシーバ局（ＢＴＳ）においてシステム・タイミングを導き出す方法および装置。本発明は、ワイヤレス通信ネットワークに関し、より詳細には、ワイヤレス通信ネットワークにおけるタイミング情報に関する。基準タイミングをＢＴＳに対して提供するための方法であり、本方法は、ＢＴＳが、局を経由してメッセージをネットワーク制御装置に対して送信するステップであって、メッセージは、メッセージによって招かれるラウンド・トリップ遅延時間を要求する、ステップと、ＢＴＳが、応答からタイミング・オフセットを推定し、パイロット信号を送信する局からの一方向遅延に起因したタイミング・オフセット、局がパイロット信号を送信するときの実際のＰＮオフセット、およびパイロット信号がＢＴＳにおいて受信されるときの実際のオフセットを使用して、基準タイミングに対して行われるべき補正を決定するステップと、ＢＴＳが、基準タイミングに対して補正を行うステップとを含む。
2014500691.tif 000002
【特許請求の範囲】
【請求項１】
基地トランシーバ局に対して正確な基準タイミングを提供するための方法であって、
前記基地トランシーバ局が、メッセージを局に対して送信するステップであって、前記メッセージは、前記メッセージによって招かれるラウンド・トリップ遅延時間についての要求を含む、ステップと、
前記基地トランシーバ局が、前記メッセージに対する応答からタイミング・オフセットを推定するステップと、
前記基地トランシーバ局が、パイロット信号が前記局から受信されるときのオフセットを決定するステップと、
前記基地トランシーバ局が、前記タイミング・オフセットおよび前記パイロット信号の前記決定されたオフセットを使用して、基準タイミングに対して行われるべき補正を決定するステップと、
前記基地トランシーバ局が、前記基準タイミングに対して前記補正を行うステップと
を含む方法。
【請求項２】
前記メッセージは、信号メッセージである、請求項１に記載の方法。
【請求項３】
前記局は、
正確な基準タイミングを有する第２の基地トランシーバ局、
全地球測位衛星時間を有する第２の基地トランシーバ局、および
フェムト基地局
のうちの少なくとも１つである、請求項１に記載の方法。
【請求項４】
前記局が、前記メッセージを受信すると、前記メッセージのラウンド・トリップ遅延を計算するステップと、
前記局が、前記ラウンド・トリップ遅延時間をネットワーク制御装置に対して送信するステップと、
前記ネットワーク制御装置が、前記応答を前記基地トランシーバ局に対して送信するステップと
をさらに含む、請求項１に記載の方法。
【請求項５】
前記応答は、
前記ラウンド・トリップ遅延時間と、
前記局のアイデンティティと
を含む、請求項４に記載の方法。
【請求項６】
前記基地トランシーバ局は、パイロット信号が、前記局からのパイロット・チャネルを監視することにより、前記局から受信されるときのオフセットを決定する、請求項１に記載の方法。
【請求項７】
前記基地トランシーバ局は、
モバイル端末から要求を受信すること、
前記基地トランシーバ局の動きを検出すること、
所定の時間間隔、および
前記局によって提供される時間基準品質表示の機能
のうちの少なくとも１つについて、基準タイミングを決定する、請求項１に記載の方法。
【請求項８】
加速度計は、前記基地トランシーバ局の動きを検出する、請求項７に記載の方法。
【請求項９】
メッセージによって招かれるラウンド・トリップ遅延時間についての要求を含む前記メッセージを局に対して送信し、
前記メッセージに対する応答からタイミング・オフセットを推定し、
パイロット信号が前記局から受信されるときのオフセットを決定し、
前記タイミング・オフセット、および前記パイロット信号の前記決定されたオフセットを使用して、前記基準タイミングに対して行われるべき補正を決定し、
前記基準タイミングに対して前記補正を行う
ように構成された少なくとも１つの手段を備える基地トランシーバ局。
【請求項１０】
前記基準に対して前記メッセージを送信するように構成された手段を備え、前記局は、
正確な基準タイミングを有する第２の基地トランシーバ局、
全地球測位衛星時間を有する第２の基地トランシーバ局、および
フェムト基地局
のうちの少なくとも１つである、請求項９に記載の基地トランシーバ局。
【請求項１１】
前記局からのパイロット・チャネルを監視することにより、パイロット信号が前記局から受信されるときのオフセットを決定するように構成された手段を備える、請求項９に記載の基地トランシーバ局。
【請求項１２】
基準タイミングについてモバイル端末から要求を受信すること、
前記基地トランシーバ局の動きを検出すること、
所定の時間間隔、および
前記局によって提供される時間基準品質表示の機能
のうちの少なくとも１つについて、基準タイミングを決定するように構成された手段を備える、請求項９に記載の基地トランシーバ局。
【請求項１３】
加速度計を備える、請求項１２に記載の基地トランシーバ局。
【発明の詳細な説明】
【技術分野】
【０００１】
本発明は、ワイヤレス通信ネットワークに関し、より詳細には、ワイヤレス通信ネットワークにおけるタイミング情報に関する。
【背景技術】
【０００２】
タイミング情報は、通信ネットワークにおけるモバイル端末と基地送信局（ＢＴＳ：ｂａｓｅ  ｔｒａｎｓｍｉｔｔｉｎｇ  ｓｔａｔｉｏｎｓ）のために、不可欠である。ＣＤＭＡシステムにおけるＢＴＳは、疑似ノイズ（ＰＮ：Ｐｓｅｕｄｏ−ｎｏｉｓｅ）・オフセットとも呼ばれる固有のタイミング・オフセットによって識別され、この疑似ノイズ・オフセットは、隣接するＢＴＳに関連している。特定のＢＴＳに割り当てられる固有のＰＮオフセットは、指定されたゼロ・オフセット・パイロット信号に関連している、ＢＴＳによってブロードキャストされるパイロット信号を相殺するために使用される。モバイル端末が、ＢＴＳからパイロット信号を受信する場合の一例を考察する。パイロット信号は、それに適用される非ゼロのオフセット・タイミングを有することができる。モバイル端末は、受信されたパイロット信号の信号強度に加えてパイロットＰＮオフセットを決定し、それをネットワーク制御装置に対して報告する。モバイル端末によって測定されるパイロットＰＮオフセットは、信号がＢＴＳからモバイル端末へと伝わるための時間遅延のために、ＢＴＳによって適用されるＰＮオフセットとは少し異なったものになることに注意すべきである。ネットワーク制御装置は、報告されたＰＮオフセットからＢＴＳのアイデンティティを導き出し、報告された信号強度と一緒に、それを使用して、コール処理プロシージャについての適切なＢＴＳを選択する。コール処理プロシージャが成功するためには、パイロットＰＮオフセットが、モバイル端末によって正確に測定されることが重要であり、その結果、ネットワーク制御装置は、報告されたパイロットＰＮオフセットに基づいて正しいＢＴＳを決定する。これは、基地局におけるタイミング基準が正確であることを必要とし、その結果、モバイルは、ＢＴＳによって送信されるパイロット信号のＰＮオフセットの正しい推定を行うことができる。タイミング基準が正確でない場合、モバイル端末によって決定されるＰＮオフセットは、ＢＴＳによって実際に適用されるものとは異なる可能性がある。それゆえに、モバイル端末は、不正確なＰＮオフセットをネットワーク制御装置に対して報告することになり、このネットワーク制御装置は、次に、コール処理のために、不正確なＢＴＳを選択する可能性がある。
【０００３】
モバイル端末は、ＢＴＳからパイロット信号を受信し、ここでは、パイロット信号は、非ゼロのオフセットを有する。モバイル端末はまた、適切な信号伝達手段を使用してモバイル端末とＢＴＳとの間の一方向遅延と一緒に、ＢＴＳによってパイロット信号に適用されているオフセットの値を受信する。モバイル端末は、知られているＰＮオフセットと、信号メッセージによって提供される一方向遅延とから、モバイル端末がパイロット信号を受信しているはずのＰＮオフセットを推定する。モバイル端末は、受信された（移動局によって測定された）ＰＮオフセットの値を、推定されたＰＮオフセット（ＰＮオフセット情報＋信号メッセージにおけるＢＴＳとの一方向遅延、から導き出される）と比較することにより、ＢＴＳにおいて基準時間におけるドリフトを決定する。
【０００４】
ＣＤＭＡのような典型的な時間同期化されたネットワークにおいては、ＢＴＳは、ＧＰＳのような外部ソースによってタイミング基準を提供される。しかしながら、ＢＴＳは、閉鎖された空間の中で（例えば、オフィスの建物、住居用の建物、倉庫などの内部において）配置される可能性があるので、それらは必ずしもＧＰＳ信号を受信して、正確なタイミング情報を保持することが必ずしもできるとは限らないこともあり得る。これは、ＢＴＳによるパイロット信号送信におけるドリフトをもたらし、このドリフトは、モバイル端末によって測定され、報告されるときに、ネットワーク制御装置においてＢＴＳの不正確な識別情報をもたらす。
【発明の概要】
【課題を解決するための手段】
【０００５】
上記を考慮すると、本明細書における一実施形態は、基地トランシーバ局（ｂａｓｅ  ｔｒａｎｓｃｅｉｖｅｒ  ｓｔａｔｉｏｎ）に対して正確な基準タイミングを提供するための方法を提供し、本方法は、基地トランシーバ局が、メッセージを局に対して送信するステップであって、そのメッセージは、信号メッセージとすることができ、メッセージによって招かれるラウンド・トリップ遅延時間を要求する、ステップと、基地トランシーバ局が、メッセージに対する応答からタイミング・オフセットを推定するステップと、基地トランシーバ局が、パイロット信号が局から受信されるときのオフセットを決定するステップと、基地トランシーバ局が、タイミング・オフセット、およびパイロット信号の決定されたオフセットを使用して、基準タイミングに対して行われるべき補正を決定するステップと、基地トランシーバ局が、基準タイミングに対して補正を行うステップとを含む。局は、正確な基準タイミングを有する第２の基地トランシーバ局、全地球測位衛星時間を有する第２の基地トランシーバ局、およびフェムト基地局のうちの１つとすることができる。本方法は、局が、メッセージを受信するとメッセージのラウンド・トリップ遅延を計算するステップと、局が、そのラウンド・トリップ遅延時間をネットワーク制御装置に対して送信するステップと、そのネットワーク制御装置が、ラウンド・トリップ遅延時間および局のアイデンティティを含む応答を基地トランシーバ局に対して送信するステップとをさらに含む。基地トランシーバ局は、局からのパイロット・チャネルを監視することにより、パイロットの情報と、基準のパイロットのオフセットとを決定することができる。基地トランシーバ局は、モバイル端末から要求を受信すること、加速度計を使用して基地トランシーバ局の動きを検出すること、所定の時間間隔、および局によって提供される時間基準品質表示の機能のうちの少なくとも１つについて、基準タイミングを決定することができる。
【０００６】
本明細書における実施形態は、さらに、メッセージによって招かれるラウンド・トリップ遅延時間を要求するメッセージを局に対して送信し、メッセージに対する応答からタイミング・オフセットを推定し、パイロット信号が局から受信されるときのオフセットを決定し、タイミング・オフセットと、パイロット信号の決定されたオフセットとを使用して、基準タイミングに対して行われるべき補正を決定し、基準タイミングに対して補正を行うように構成された少なくとも１つの手段を備える基地トランシーバ局を開示している。基地トランシーバ局は、メッセージを局に対して送信するように構成された手段を備え、そこでは局は、正確な基準タイミングを有する第２の基地トランシーバ局、全地球測位衛星時間を有する第２の基地トランシーバ局、およびフェムト基地局のうちの１つである。基地トランシーバ局は、局からのパイロット・チャネルを監視することにより、局から受信されるパイロット信号のオフセットを決定するように構成された手段を備える。基地トランシーバ局は、基準タイミングについてモバイル端末から要求を受信すること、加速度計を使用して行われ得る基地トランシーバ局の動きを検出すること、所定の時間間隔、および局によって提供される時間基準品質表示の機能のうちの少なくとも１つについて、基準タイミングを決定するように構成された手段を備える。
【０００７】
本明細書における実施形態のこれらの態様および他の態様は、以下の説明および添付の図面に関連して考察されるときに、よりよく認識され、理解されるであろう。
【０００８】
本明細書における実施形態は、図面を参照して以下の詳細な説明からよりよく理解されるであろう。
【図面の簡単な説明】
【０００９】
【図１】本明細書において開示される実施形態による、通信ネットワークにおける一体化されたＢＴＳを示す図である。
【図２】本明細書において開示される実施形態による、一体化されたＢＴＳを示す図である。
【図３】本明細書において開示される実施形態による、システム時間を推定するプロセスを示すフローチャートである。
【発明を実施するための形態】
【００１０】
本明細書における実施形態と、その様々な特徴と有利な詳細とは、添付の図面において示される非限定的な実施形態を参照して、より十分に説明され、以下の説明の中で詳しく述べられる。よく知られているコンポーネントと処理技法についての説明は、本明細書における実施形態を不必要に曖昧にすることのないように省略される。本明細書において使用される例は、単に、本明細書における実施形態が実行され得る方法の理解を容易にし、さらに、当業者が、本明細書における実施形態を実行することができるように意図しているにすぎない。したがって、例は、本明細書における実施形態の範囲を限定するように解釈されるべきではない。
【００１１】
本明細書における実施形態は、基地トランシーバ局（ＢＴＳ：ｂａｓｅ  ｔｒａｎｓｃｅｉｖｅｒ  ｓｔａｔｉｏｎ）に対して正確な基準タイミングを提供する方法およびシステムを開示している。次に、類似した参照符号が、図面全体を通して一貫して対応する特徴を示す図面、より詳細には図１から図３を参照すれば、諸実施形態が示されている。
【００１２】
図１は、本明細書において開示される実施形態による、通信ネットワークの内部における一体化された基地トランシーバ局を示す。図は、示されるように、一体化されたＢＴＳ１０１と、複数の基地トランシーバ局１０２と、ネットワーク制御装置１０４と、複数のモバイル端末１０３とを備える。一体化されたＢＴＳ１０１は、マクロＢＴＳ、フェムト基地局、または基地局としての機能を果たすことができる任意のデバイスとすることができる。一体化されたＢＴＳ１０１は、ＢＴＳに接続するモバイル端末に類似した方法で他のＢＴＳに接続され、ここでは、モバイル端末は、ＢＴＳのカバレッジ・エリアの内部にある。一体化されたＢＴＳ１０１は、同時に、複数のＢＴＳ１０２に対して可視的である可能性がある。一体化されたＢＴＳ１０１は、少なくとも１つのモバイル端末１０３に接続されることもある。ＢＴＳ１０２は、ネットワーク制御装置１０４に接続されることもある。ＢＴＳ１０２は、複数のネットワーク制御装置に接続されることもあり、すなわち、１つまたは複数のＢＴＳは、第１のネットワーク制御装置１０４に接続されることもあり、一体化されたＢＴＳ１０１に対して可視的な他のＢＴＳ１０２は、第２のネットワーク制御装置１０４に接続されることもある。ＢＴＳ１０２はまた、一体化された基地局１０１とすることもできる。
【００１３】
一体化されたＢＴＳ１０１は、ＢＴＳ１０２のうちの１つと通信することができる。一体化されたＢＴＳ１０１は、そのＢＴＳ１０２からのローカル・ワイヤレス・チャネルを監視し、ローカル・ワイヤレス・マクロ・ネットワークと通信することもできる。一体化されたＢＴＳ１０１は、メッセージを使用して、ＢＴＳ１０２を経由してネットワーク制御装置１０４に対して一体化されたＢＴＳ１０１によって送信されたメッセージのラウンド・トリップ遅延時間を提供するように、ネットワーク制御装置１０４に要求することができる。ＢＴＳ１０２は、メッセージによって招かれるラウンド・トリップ遅延と一緒にメッセージをネットワーク制御装置１０４に対して転送する。ネットワーク制御装置１０４は、ＢＴＳ１０２のアイデンティティと一緒に、メッセージによって招かれるラウンド・トリップ遅延（ＢＴＳ１０２に割り当てられるパイロットＰＮオフセット−これは、ＢＴＳ１０２が、無線でパイロット信号を送信しながら適用する同じパイロットＰＮオフセットである）を一体化されたＢＴＳ１０１に対して送信する。ラウンド・トリップ遅延時間を含むメッセージは、一体化されたＢＴＳ１０１によって受信されることになり、一体化されたＢＴＳ１０１は、受信されたラウンド・トリップ遅延時間を使用して、ＢＴＳ１０２に対するタイミング・オフセットを推定することになり、ここでは、タイミング・オフセットは、一体化されたＢＴＳ１０１がアラインされたクロックを有する場合に、一体化されたＢＴＳ１０１がＢＴＳ１０２からパイロット信号を受信すべきであるときのオフセットである。一体化されたＢＴＳ１０１は、ＢＴＳ１０２のパイロット・チャネルを監視して、パイロット信号がＢＴＳ１０２から受信される時間を決定することができる。一体化されたＢＴＳ１０１は、タイミング・オフセットをパイロット信号が実際に受信されるときのタイミング・オフセットと比較して、一体化されたＢＴＳ１０１の内部クロックが、どれだけ長い時間だけ漂流しているかを決定する。一体化されたＢＴＳ１０１は、今や、その内部クロック（基準タイミング）をシステム時間とアラインすることができる。一体化されたＢＴＳ１０１は、次に、このようにして述べられるプロシージャを反復することにより、その内部クロックを正確に保持しようと試みることができ、ブロードキャスト・パイロット信号のタイミング・オフセットを固定されたままに保持する。
【００１４】
図２は、本明細書において開示される実施形態による、一体化されたＢＴＳを示す。一体化されたＢＴＳ１０１は、ＢＴＳモジュール２０７と、モバイル・モジュール２０１とを備える。一体化されたＢＴＳ１０１は、加速度計２０８をさらに備えることができる。モバイル・モジュール２０１は、プロセッサ２０２と、トランスミッタ２０３と、レシーバ２０４と、クロック２０５と、メモリ２０６とをさらに備える。モバイル・モジュール２０１は、一体化されたＢＴＳ１０１が、ＢＴＳ／基地局に接続するモバイル端末に類似した方法で、ＢＴＳ、一体化されたＢＴＳ、フェムト基地局など、他のモジュールに接続することを可能にする。
【００１５】
プロセッサ２０２は、通信信号が存在するかどうかをチェックする。通信信号は、ＢＴＳ１０２、フェムト基地局、基準タイミングを有する一体化されたＢＴＳ１０１、またはＧＰＳ時間を有する別の一体化されたＢＴＳ１０１からのものとすることができる。複数の通信信号が存在する場合に、プロセッサ２０２は、追加の情報の助けを有する適切な手段を使用して、通信信号を基準として選択する。本明細書における別の実施形態においては、プロセッサ２０２は、複数の通信信号を基準として選択することができる。適切な手段はまた、インターネットの上の適切なサーバとすることもできる。追加の情報は、キャリア番号の優先順位リスト、帯域クラス、候補基準のパイロットなどを含むことができる。
【００１６】
プロセッサ２０２が、基準としてＢＴＳ１０２を選択していることを考える。プロセッサ２０２は、トランスミッタ２０３を使用して、ＢＴＳ１０２を経由して信号メッセージをネットワーク制御装置１０４に対して送信する。信号メッセージは、一体化されたＢＴＳ１０１に関するラウンド・トリップ遅延を提供するようにネットワーク制御装置１０４に要求する。
【００１７】
プロセッサ２０２は、ＢＴＳ１０２と、レシーバ２０４とを経由してネットワーク制御装置１０４から応答メッセージを受信し、この応答メッセージは、一体化されたＢＴＳ１０１から受信される信号メッセージのラウンド・トリップ遅延を含む。応答メッセージは、ＢＴＳ１０２が、どれだけよく時間を守っていると考えているかを示す時間基準品質表示を含むこともできる。応答メッセージは、ＢＴＳ１０２のアイデンティティも含む。プロセッサ２０２は、ＢＴＳ１０２からのパイロット信号が、応答メッセージに存在するようなラウンド・トリップ遅延から受信されるべきであるときの期待されたタイミング・オフセットを計算し、タイミング・オフセットをメモリ２０６に記憶する。プロセッサ２０２は、タイミング・オフセットを一方向遅延として計算することができ、この一方向遅延は、ラウンド・トリップ遅延の２分の１である。プロセッサ２０２は、さらに、ＢＴＳ１０２のページング／制御チャネルを監視して、パイロット信号がＢＴＳ１０２から受信される時間を決定する。プロセッサ２０２は、タイミング・オフセットをパイロット信号が受信される時間と比較して、一体化されたＢＴＳ１０１の内部クロックが、どれだけ長い時間だけ相殺されるかを決定する。ひとたびプロセッサ２０２が、ＢＴＳ１０２の実際のパイロット・オフセットを決定した後には、プロセッサ２０２は、推定されたタイミング・オフセットと、受信されたパイロット・タイミングと、パイロット・オフセットとを使用して、ＢＴＳ１０２によって提供される基準タイミングとその内部クロックをアラインする。プロセッサ２０２は、基準タイミングをクロック２０５に記憶することができる。本明細書における実施形態においては、プロセッサ２０２は、タイミング・オフセットを一定に保持しながら、その内部クロックをパイロット・タイミングに従属されるように保持することができる。プロセッサ２０２は、モバイル端末１０３からの要求を受信すると、または定期的な時間間隔で、必要に応じて、内部クロックのさらなる決定を行うことができる。
【００１８】
本明細書における一実施形態においては、加速度計２０８が、一体化されたＢＴＳ１０１が移動していることを検出する場合、加速度計は、その動きをプロセッサ２０２に対して通知する。次いで、プロセッサ２０２は、ＢＴＳ１０１の動きに起因して、内部クロックに適用される必要がある調整の決定を行うことができる。
【００１９】
本明細書における一実施形態においては、加速度計２０８が、一体化されたＢＴＳ１０１が移動していることを検出する場合、加速度計は、その動きをプロセッサ２０２に対して通知する。次いで、プロセッサ２０２は、オペレーションを再スタートすることができる。
【００２０】
本明細書における一実施形態においては、プロセッサ２０２がピング測定（ｐｉｎｇ  ｍｅａｓｕｒｅｍｅｎｔｓ）を行うときの周波数は、ＢＴＳ１０２によって提供される時間基準品質の関数である。
【００２１】
本明細書における一実施形態においては、プロセッサ１０２は、信号メッセージを複数の基準に対して送信することができ、ここでは、基準は、ＢＴＳ１０２、基準タイミングを有するフェムト基地局、ＧＰＳ時間を有するフェムト基地局、基準タイミングを有する一体化されたＢＴＳ１０１、またはＧＰＳ時間を有する別の一体化されたＢＴＳ１０１とすることができる。次いで、プロセッサ２０２は、フィルタリング技法を使用して、各基準についてのタイミング・オフセットを推定することができる。カルマン・フィルタが、プロセッサ２０２によってフィルタをかけるために使用されることもある。
【００２２】
本明細書において開示される実施形態は、ＮＴＰのような他の手段と組み合わされて、一体化されたＢＴＳ１０１の内部クロックをアラインすることができる。
【００２３】
図３は、本明細書において開示される実施形態による、システム時間を推定するプロセスを示すフローチャートである。一体化されたＢＴＳ１０１は、メッセージを基準ＢＴＳ１０２に対して送信し（３０１）、ここでは、メッセージは、信号メッセージとすることができる。基準ＢＴＳ１０２は、信号メッセージを受信すると、信号メッセージによって招かれるラウンド・トリップ遅延時間を計算し（３０２）、ラウンド・トリップ遅延と一緒に信号メッセージをネットワーク制御装置１０４に対して送信する（３０３）。次いで、ネットワーク制御装置１０４は、ラウンド・トリップ遅延時間を含むメッセージを一体化されたＢＴＳ１０１に対して送信する（３０４）。ＢＴＳ１０２を経由して、ネットワーク制御装置１０４からラウンド・トリップ遅延時間を含むメッセージを受信すると、一体化されたＢＴＳ１０１は、応答メッセージの中に存在するようなラウンド・トリップ遅延と、ＰＮオフセットとからタイミング・オフセットを計算する（３０５）。一体化されたＢＴＳ１０１は、タイミング・オフセットを一方向遅延として計算することができ、この一方向遅延は、ラウンド・トリップ遅延の２分の１である。一体化されたＢＴＳ１０１は、さらに、基準ＢＴＳ１０２のパイロット・チャネルを監視する（３０６）。一体化されたＢＴＳ１０１が、基準ＢＴＳ１０２からパイロット信号を受信する（３０７）と、一体化されたＢＴＳ１０１は、期待されたタイミング・オフセットを基準ＢＴＳ１０２から受信されるパイロット信号のオフセットと比較して（３０８）、タイミング・オフセットをパイロット信号が受信される時間と比較することにより、基準タイミングに対して行われる必要がある調整を計算する（３０９）。ひとたび一体化されたＢＴＳ１０１が調整を決定した後には、一体化されたＢＴＳ１０１は、基準タイミングに対して補正を適用する（３１０）。方法３００の中の様々なアクションは、提示される順序または異なる順序で、または同時に実行されることもある。さらに、いくつかの実施形態においては、図３に列挙されるいくつかのアクションは、省略されることもある。
【００２４】
本明細書において開示される実施形態は、少なくとも１つのハードウェア・デバイスの上で実行され、ネットワーク要素を制御するネットワーク管理機能を実行する少なくとも１つのソフトウェア・プログラムを通して実装される可能性がある。図１および図２において示されるネットワーク要素は、ハードウェア・デバイス、またはハードウェア・デバイスおよびソフトウェア・モジュールの組合せのうちの少なくとも一方とすることができるブロックを含む。
【００２５】
本明細書における実施形態は、ＢＴＳに接続されたモバイル端末に対して正確な基準タイミングを提供する方法およびシステムを開示している。それゆえに、保護の範囲は、そのようなプログラムに対して拡張され、その中にメッセージを有するコンピュータ可読手段に加えて、そのようなコンピュータ可読ストレージ手段は、プログラムが、サーバ、またはモバイル・デバイス、あるいは適切な任意のプログラマブル・デバイスの上で実行されるときに、本方法の１つまたは複数のステップの実装のためのプログラム・コード手段を含んでいることが理解される。本方法は、例えば、超高速集積回路ハードウェア記述言語（ＶＨＤＬ：Ｖｅｒｙ  ｈｉｇｈ  ｓｐｅｅｄ  ｉｎｔｅｇｒａｔｅｄ  ｃｉｒｃｕｉｔ  Ｈａｒｄｗａｒｅ  Ｄｅｓｃｒｉｐｔｉｏｎ  Ｌａｎｇｕａｇｅ）もしくは他の任意の符号化言語で書かれたコードを通して、またはそのコードと一緒に、好ましい実施形態で実装され、あるいは１つまたは複数のＶＨＤＬ、または少なくとも１つのハードウェア・デバイスの上で実行されているいくつかのソフトウェア・モジュールによって実装される。ハードウェア・デバイスは、例えば、サーバまたはパーソナル・コンピュータのような任意の種類のコンピュータなど、あるいはそれらの任意の組合せ、例えば、１つのプロセッサおよび２つのＦＰＧＡを含む、プログラムされ得る任意の種類のデバイスとすることができる。デバイスは、例えば、ＡＳＩＣのような、例えば、ハードウェア手段、またはハードウェア手段とソフトウェア手段との組合せ、例えば、ＡＳＩＣおよびＦＰＧＡ、あるいは少なくとも１つのマイクロプロセッサ、およびその中に位置しているソフトウェア・モジュールを有する少なくとも１つのメモリとすることができる手段を含むこともできる。本明細書において説明される方法実施形態は、純粋なハードウェアの形で、あるいは部分的にハードウェアおよび部分的にソフトウェアの形で実装される可能性がある。代わりに、本発明は、例えば、複数のＣＰＵを使用して、異なるハードウェア・デバイスの上で実装されることもある。
【００２６】
特定の実施形態についての上記説明は、他者が、包括的な概念を逸脱することなく、現在の知識を適用することにより、様々なアプリケーションのために、このような特定の実施形態を簡単に修正し、および／または適応させることができるように本明細書における実施形態の概括的な性質を十分に表すことになり、それゆえに、このような適応形態および修正形態は、開示された実施形態の同等形態の意味および範囲に含まれるように理解されるべきであり、理解されることが意図される。本明細書において使用される用語または専門用語は、説明のためであり、限定のためではないことを理解すべきである。したがって、本明細書における実施形態は、好ましい実施形態の観点から説明されているが、当業者なら、本明細書における実施形態が、本明細書において説明される特許請求の範囲の精神および範囲に含まれる修正形態を用いて実行され得ることを認識するであろう。
【図１】
2014500691.tif 000003
【図２】
2014500691.tif 000004
【図３】
2014500691.tif 000005
【国際調査報告】
2014500691.tif 000006
2014500691.tif 000007
2014500691.tif 000008
2014500691.tif 000009